(57)【要約】【目的】カフを用いた血圧測定において測定時間を短時間にすることができる血圧測定装置を提供する。【解決手段】カフ１２に、上腕部１４に巻き付けたときに上流下流の関係となるように圧迫袋１８、２０を２つ設け、２つの圧迫袋の徐速降圧範囲の結合が、上腕部１４における最高血圧値よりも高い圧力から最低血圧値よりも低い圧力までの範囲を含むように、且つ、上流側の圧迫袋２０の徐速降圧開始圧を下流側の圧迫袋１８の徐速降圧開始圧よりも低い値に設定し、２つの圧迫袋の徐速降圧期間の少なくとも一部が重なるようにして、それら２つの圧迫袋の圧迫圧力を徐速降圧させる。そして、その徐速降圧過程で２つの圧迫袋によりそれぞれ検出される脈波信号に基づいて血圧値を決定する。このようにすると、一つの圧迫袋を最高血圧値よりも高い圧力から最低血圧値よりも低い圧力まで徐速降圧させて血圧を測定する場合に比較して、血圧測定時間が短くなる。【選択図】                        図１
2004174029.tif 000002
【特許請求の範囲】
【請求項１】
生体の所定部位に隣接して巻き付けられる複数の圧迫袋と、
該複数の圧迫袋の徐速降圧期間の少なくとも一部が互いに重なるようにして、上流側の圧迫袋ほど低い圧力に設定された徐速降圧開始圧から、該複数の圧迫袋の徐速降圧範囲の結合が、前記生体の所定部位における最高血圧値よりも高い圧力から該部位の最低血圧値よりも低い圧力までの範囲を含むように、該複数の圧迫袋の圧迫圧力を徐速降圧させる圧迫袋圧制御装置と、
該圧迫袋圧制御装置により前記複数の圧迫袋が徐速降圧させられている過程で前記複数の圧迫袋装着部位においてそれぞれ検出される生体信号に基づいて、前記生体の血圧値を決定する血圧値決定装置と
を含むことを特徴とする血圧測定装置。
【請求項２】
請求項１に記載の血圧測定装置であって、
前記複数の圧迫袋は、第１圧迫袋とその上流側に装着される第２圧迫袋の２つであり、
該第１圧迫袋の徐速降圧を開始させる第１徐速降圧開始圧は最高血圧値よりも高い値に予め設定され、
前記第２圧迫袋の徐速降圧を終了させる第２徐速降圧終了圧は最低血圧値よりも低い値に予め設定され、
前記第１圧迫袋の徐速降圧を終了させる第１徐速降圧終了圧および前記第２圧迫袋の徐速降圧を開始させる第２徐速降圧開始圧は、ともに、前記第１徐速降圧開始圧と前記第２徐速降圧終了圧の平均値に予め設定されており、
前記圧迫袋圧制御装置は、前記第１圧迫袋を、前記第１徐速降圧開始圧まで急速昇圧させた後、該第１徐速降圧開始圧から前記第１徐速降圧終了圧まで徐速降圧させ、前記第２圧迫袋を、前記第１圧迫袋と同時に昇圧開始させて前記第２徐速降圧開始圧まで昇圧させた後、該第２徐速降圧開始圧から前記第２徐速降圧終了圧以下まで、第１圧迫袋と同じ速度で徐速降圧させることを特徴とする血圧測定装置。
【発明の詳細な説明】
【０００１】
【発明の属する技術分野】
本発明は、カフを用いて血圧を測定する形式の血圧測定装置に関する。
【０００２】
【従来の技術】
非侵襲にて血圧を測定する方式としては、上腕など生体の所定部位に装着するカフを用いる方式が一般的である。カフは、通常、伸展性のない布などにより構成される帯状袋内に圧迫袋が一つ備えられた構造を有している。圧迫袋は、生体の所定部位に巻き付けられている状態では、気体または液体が注入されることにより膨張させられて、その部位を圧迫するものである。カフを用いた血圧測定は、生体の所定部位に装着したカフ（圧迫袋）の圧迫圧力を徐速変化させ、その徐速変化過程でカフ装着部位において検出される生体信号に基づいて血圧を測定する。上記生体信号は、オシロメトリック方式の血圧測定装置の場合には動脈からカフに伝達される脈波であり、コトロコフ音により血圧を測定する方式の血圧測定装置の場合にはコロトコフ音である。
【０００３】
カフを用いて血圧を測定する形式の血圧測定装置は、たとえば、特許文献１に記載されている。特許文献１に記載されている血圧測定装置は、オシロメトリック方式の血圧測定装置である。オシロメトリック方式、コトロコフ音方式など検出される生体信号に拘わらず、カフを用いて血圧を測定する形式の血圧測定装置では、通常、カフの圧迫圧力をカフ装着部位における最高血圧値よりも高い圧力まで昇圧させた後、最低血圧値よりも低い圧力まで２〜５ｍｍＨｇ／ｓｅｃの速度で徐速降圧させ、その徐速降圧過程においてカフ装着部位で検出される生体信号に基づいて血圧値を決定する。
【０００４】
【特許文献１】
特許第３０５８６６３号公報
【０００５】
【発明が解決しようとする課題】
前述のように、カフを用いた血圧測定装置の場合には、そのカフの圧迫圧力を最高血圧値よりも高い圧力から最低血圧値よりも低い圧力まで徐速降圧させる必要があるため、３０秒以上の比較的長い血圧測定時間を要するという問題があり、特に、連続的に何度も血圧測定する場合には、被験者の負担が少なくなかった。
【０００６】
本発明は以上の事情を背景として為されたもので、その目的とするところは、カフを用いた血圧測定において測定時間を短時間にすることができる血圧測定装置を提供することにある。
【０００７】
【課題を解決するための手段】
上記目的を達成するための本発明は、（ａ）生体の所定部位に隣接して巻き付けられる複数の圧迫袋と、（ｂ）その複数の圧迫袋の徐速降圧期間の少なくとも一部が互いに重なるようにして、上流側の圧迫袋ほど低い圧力に設定された徐速降圧開始圧から、その複数の圧迫袋の徐速降圧範囲の結合が、前記生体の所定部位における最高血圧値よりも高い圧力からその部位の最低血圧値よりも低い圧力までの範囲を含むように、その複数の圧迫袋の圧迫圧力を徐速降圧させる圧迫袋圧制御装置と、（ｃ）その圧迫袋圧制御装置により前記複数の圧迫袋が徐速降圧させられている過程で前記複数の圧迫袋装着部位においてそれぞれ検出される生体信号に基づいて、前記生体の血圧値を決定する血圧値決定装置とを含むことを特徴とする血圧測定装置である。
【０００８】
【発明の効果】
この発明によれば、圧迫袋圧制御装置により、複数の圧迫袋の徐速降圧範囲の結合が圧迫袋装着部位の最高血圧値よりも高い圧力から最低血圧値よりも低い圧力までの範囲を含むように、それら複数の圧迫袋が徐速降圧させられるので、圧迫袋が徐速降圧させられる間にそれぞれの圧迫袋装着部位において検出される生体信号の集合は、従来の一つの圧迫袋がその圧迫袋装着部位の最高血圧値よりも高い圧力から最低血圧値よりも低い圧力まで徐速降圧させられる間に検出される生体信号に相当する。従って、血圧値決定装置により、その生体信号に基づいて血圧値を決定することができる。さらに、複数の圧迫袋の徐速降圧期間の少なくとも一部が互いに重なるようにして、それら複数の圧迫袋が徐速降圧させられるので、血圧測定時間が短くなる。
【０００９】
【発明の他の態様】
ここで、好ましくは、前記血圧測定装置は以下の特徴を有する。すなわち、前記複数の圧迫袋が、第１圧迫袋とその上流側に装着される第２圧迫袋の２つであり、その第１圧迫袋の徐速降圧を開始させる第１徐速降圧開始圧は最高血圧値よりも高い値に予め設定され、前記第２圧迫袋の徐速降圧を終了させる第２徐速降圧終了圧は最低血圧値よりも低い値に予め設定され、前記第１圧迫袋の徐速降圧を終了させる第１徐速降圧終了圧および前記第２圧迫袋の徐速降圧を開始させる第２徐速降圧開始圧は、ともに、前記第１徐速降圧開始圧と前記第２徐速降圧終了圧の平均値に予め設定されており、前記圧迫袋圧制御装置は、前記第１圧迫袋を、前記第１徐速降圧開始圧まで急速昇圧させた後、その第１徐速降圧開始圧から前記第１徐速降圧終了圧まで徐速降圧させ、前記第２圧迫袋を、前記第１圧迫袋と同時に昇圧開始させて前記第２徐速降圧開始圧まで昇圧させた後、その第２徐速降圧開始圧から前記第２徐速降圧終了圧以下まで、第１圧迫袋と同じ速度で徐速降圧させる。圧迫袋圧制御装置によりこのように第１圧迫袋および第２圧迫袋の圧迫圧力を制御すれば、一つの圧迫袋を最高血圧値よりも高い圧力から最低血圧値よりも低い圧力まで徐速降圧させて血圧を測定する場合に比較して、血圧測定時間が約半分となり、生体に装着される圧迫袋の数が２つである場合において、血圧測定時間が最も短いレベルとなる。
【００１０】
【発明の好適な実施の形態】
以下、本発明の実施の形態を図面に基づいて詳細に説明する。図１は、本発明が適用された血圧測定装置１０の回路構成を示すブロック図である。
【００１１】
図１において、１２は上腕部１４に巻回されるカフである。このカフ１２は、そのカフ１２の展開図である図２に示すように、帯状且つ袋状の腕帯袋１６によって全体が覆われている。この腕帯袋１６は、伸展性がなく且つ比較的剛性の高い布製である。
【００１２】
腕帯袋１６の内部には、２つの圧迫袋１８、２０が収容されており、カフ１２が上腕部１４に巻回されたときの下流側となる側（図２の下側）が第１圧迫袋１８であり、カフ１２が上腕部１４に巻回されたときの上流側となる側（図２の上側）が第２圧迫袋２０である。この圧迫袋１８、２０は、ゴム製であって、同じ大きさの矩形状袋である。
【００１３】
圧迫袋１８、２０の幅方向長さは腕帯袋１６の幅方向長さの略半分であり、圧迫袋１８、２０は、膨張させられたときに互いに接触しない程度の隙間が形成されるように、且つ、配列方向が腕帯袋１６の幅方向と平行になるようにして互いに隣接させられて、腕帯袋１６に収容されている。圧迫袋１８、２０の長手方向の長さは、上腕部１４の周囲長と略同程度の長さ（たとえば２４ｃｍ）とされ、圧迫袋１８、２０の腕帯袋１６の長手方向における位置は、それら圧迫袋１８、２０の長手方向の一方の端部が腕帯袋１６の長手方向の一方の端部に位置するようにされている。また、これら圧迫袋１８、２０には、それぞれ配管２２、２４が接続されている。
【００１４】
図１に戻って、第１圧迫袋１８には、配管２２を介して、第１圧力センサ２６および調圧弁２８が接続されており、さらに、調圧弁２８は配管３０により空気ポンプ３２と接続されている。また、第２圧迫袋２０にも、配管２４を介して、第２圧力センサ３４および調圧弁３６が接続されており、調圧弁３６には配管３８を介して空気ポンプ４０が接続されている。
【００１５】
調圧弁２８、３６は、空気ポンプ３２、４０により発生させられた圧力の高い空気を調圧して第１圧迫袋１８、第２圧迫袋２０内へ供給し、あるいは、第１圧迫袋１８、第２圧迫袋２０内の空気を排気することにより、第１圧迫袋１８、第２圧迫袋２０内の圧力を調圧する。
【００１６】
第１圧力センサ２６は、第１圧迫袋１８内の圧力を検出してその圧力を表す第１圧力信号ＳＰ１を静圧弁別回路４２および脈波弁別回路４４にそれぞれ供給する。静圧弁別回路４２はローパスフィルタを備えており、第１圧力信号ＳＰ１に含まれる定常的な圧力すなわち第１圧迫袋１８の圧迫圧力（以下、この圧力を第１圧迫袋圧ＰＣ１という）を表す第１圧迫袋圧信号ＳＣ１を弁別してその第１圧迫袋圧信号ＳＣ１をＡ／Ｄ変換器４４を介して電子制御装置４６へ供給する。
【００１７】
脈波弁別回路４８は、たとえば１乃至３０Ｈｚ程度の信号通過帯域を有するバンドパスフィルタを備えており、第１圧力信号ＳＰ１からその振動成分である第１脈波信号ＳＭ１を弁別し、その第１脈波信号ＳＭ１をＡ／Ｄ変換器５０を介して電子制御装置４６へ供給する。
【００１８】
第２圧力センサ３４は、第２圧迫袋２０内の圧力を検出してその圧力を表す第２圧力信号ＳＰ２を静圧弁別回路５２および脈波弁別回路５４にそれぞれ供給する。この静圧弁別回路５２および脈波弁別回路５４は、第１圧力センサ２６に接続されたものと同じ機能を有しており、静圧弁別回路５２は、第２圧力信号ＳＰ２に含まれる定常的な圧力すなわち第２圧迫袋２０の圧迫圧力（以下、この圧力を第２圧迫袋圧ＰＣ２という）を表す第２圧迫袋圧信号ＳＣ２を弁別してその第２圧迫袋圧信号ＳＣ２をＡ／Ｄ変換器５６を介して電子制御装置４６へ供給し、脈波弁別回路５４は、第２圧力信号ＳＰ２からその振動成分である第２脈波信号ＳＭ２を弁別し、その第２脈波信号ＳＭ２をＡ／Ｄ変換器５８を介して電子制御装置４６へ供給する。
【００１９】
電子制御装置４６は、ＣＰＵ６０、ＲＯＭ６２、ＲＡＭ６４、および図示しないＩ／Ｏポート等を備えた所謂マイクロコンピュータにて構成されており、ＣＰＵ６０は、ＲＯＭ６２に予め記憶されたプログラムに従ってＲＡＭ６４の記憶機能を利用しつつ信号処理を実行することにより、Ｉ／Ｏポートから駆動信号を出力して２つの空気ポンプ３２、４０および２つの調圧弁２８、３６をそれぞれ制御する。ＣＰＵ６０は、それら空気ポンプ３２、４０および調圧弁２８、３６を制御することにより第１圧迫袋圧ＰＣ１および第２圧迫袋圧ＰＣ２を制御する。また、ＣＰＵ６０は、図３に詳しく示す機能を実行することにより、血圧値ＢＰを決定し、決定した血圧値ＢＰを表示器６６に表示する。
【００２０】
図３は、血圧測定装置１０における電子制御装置４６の制御機能の要部を説明する機能ブロック線図である。
【００２１】
第１圧迫袋圧制御手段７０は、静圧弁別回路４２から逐次供給される第１圧迫袋圧信号ＳＣ１に基づいて第１圧迫袋圧ＰＣ１を判断しつつ、調圧弁２８および空気ポンプ３２を制御することにより、第１圧迫袋圧ＰＣ１を以下のように制御する。すなわち、第１圧迫袋圧ＰＣ１を上腕部１４における最高血圧値ＢＰＳＹＳよりも高い値に予め設定された第１徐速降圧開始圧ＰＳ１（たとえば１８０ｍｍＨｇ  ）まで急速に昇圧し、続いて、その第１徐速降圧開始圧ＰＳ１から予め設定された第１徐速降圧終了圧ＰＥ１まで、第１圧迫袋圧ＰＣ１を２〜５ｍｍＨｇ／ｓｅｃ程度に予め定められた速度で徐速降圧し、その後、第１圧迫袋圧ＰＣ１を大気圧まで排圧させる。上記第１徐速降圧終了圧ＰＥ１は、第１圧迫袋１８の徐速降圧範囲および第２圧迫袋２０の徐速降圧範囲を結合した全体の徐速降圧範囲の中心値であり、この値は、第２圧迫袋圧ＰＣ２の徐速降圧を開始する第２徐速降圧開始圧ＰＳ２でもある。なお、全体の徐速降圧範囲とは、第１徐速降圧開始圧ＰＳ１から第２圧迫袋圧ＰＣ２の徐速降圧の終了圧ＰＥ２までの範囲であり、第１徐速降圧終了圧ＰＥ１および第２徐速降圧開始圧ＰＳ２は、第１徐速降圧開始圧ＰＳ１と第２徐速降圧終了圧ＰＥ２の平均値である。
【００２２】
第２圧迫袋圧制御手段７２は、静圧弁別回路５２から逐次供給される第２圧迫袋圧信号ＳＣ２に基づいて第２圧迫袋圧ＰＣ２を判断しつつ、調圧弁３６および空気ポンプ４０を制御することにより、第２圧迫袋圧ＰＣ２を以下のように制御する。すなわち、第１圧迫袋圧ＰＣ１の急速昇圧開始とともに第２圧迫袋圧ＰＣ２の急速昇圧を開始させ、その第２圧迫袋圧ＰＣ２を前記第２徐速降圧開始圧ＰＳ２まで昇圧させ、続いて、第２圧迫袋圧ＰＣ２を、その第２徐速降圧開始圧ＰＳ２から前記第２徐速降圧終了圧ＰＥ２またはそれ以下となるまで、第１圧迫袋圧ＰＣ１の徐速降圧速度と同じ速度で徐速降圧させ、その後、第２圧迫袋圧ＰＣ２を大気圧まで排圧させる。ここで、第２徐速降圧終了圧ＰＥ２は、最低血圧値ＢＰＤＩＡよりも十分に低い圧力に予め設定されており、たとえば４０ｍｍＨｇとされる。また、第２徐速降圧終了圧ＰＥ２が４０ｍｍＨｇとされ、第１徐速降圧開始圧ＰＳ１が１８０ｍｍＨｇとされているとすると、第２徐速降圧開始圧ＰＳ２（すなわち第１徐速降圧終了圧ＰＥ１）は１１０ｍｍＨｇとされる。
【００２３】
上記第１圧迫袋圧制御手段７０および第２圧迫袋圧制御手段７２により、静圧弁別回路４２、５２から供給される信号に基づいて、空気ポンプ３２、４０および調圧弁２８、３６が制御されることにより、第１圧迫袋圧ＰＣ１および第２圧迫袋圧ＰＣ２が制御されるので、本血圧測定装置１０では、静圧弁別回路４２、５２、空気ポンプ３２、４０、調圧弁２８、３６、第１圧迫袋圧制御手段７０および第２圧迫袋圧制御手段７２により圧迫袋圧制御装置７４が構成される。
【００２４】
図４は、第１圧迫袋圧制御手段７０および第２圧迫袋圧制御手段７２の制御作動をフローチャートにして示す図であり、図５は、図４のフローチャートが実行されたときの圧迫袋圧ＰＣ１，ＰＣ２の時間変化を示す図である。
【００２５】
図４において、ステップＳ１（以下、ステップを省略する。）では、空気ポンプ３２、４０を起動し、調圧弁２８、３６を制御することにより、第１圧迫袋圧ＰＣ１および第２圧迫袋圧ＰＣ２の急速昇圧を開始させる（図５のｔ０）。
【００２６】
続くＳ２では、静圧弁別回路５２から逐次供給される第２圧迫袋圧信号ＳＣ２に基づいて、第２圧迫袋圧ＰＣ２がたとえば１１０ｍｍＨｇに予め設定された第２徐速降圧開始圧ＰＳ２を超えたか否かを判断する。この判断が否定された場合には、Ｓ２の判断を繰り返し実行する。Ｓ２の判断を繰り返し実行するうちに、第２圧迫袋圧ＰＣ２が第２徐速降圧開始圧ＰＳ２を超えてＳ２の判断が肯定された場合には、続くＳ３において、空気ポンプ４０を停止し、調圧弁３６を制御することにより、予め設定された２〜５ｍｍＨｇ／ｓｅｃ程度の速度での第２圧迫袋圧ＰＣ２の徐速降圧を開始させる（図５のｔ１）。
【００２７】
続くＳ４では、静圧弁別回路４２から逐次供給される第１圧迫袋圧信号ＳＣ１に基づいて、第１圧迫袋圧ＰＣ１がたとえば１８０ｍｍＨｇに予め設定された第１徐速降圧開始圧ＰＳ１を超えたか否かを判断する。この判断が否定された場合には、Ｓ４の判断を繰り返し実行する。Ｓ４の判断を繰り返し実行するうちに、第１圧迫袋圧ＰＣ１が第１徐速降圧開始圧ＰＳ１を超えてＳ４の判断が肯定された場合には、続くＳ５において、空気ポンプ３２を停止し、調圧弁２８を制御することにより徐速降圧速度を第２圧迫袋圧ＰＣ２の徐速降圧速度と同じになるようにして、第１圧迫袋圧ＰＣ１の徐速降圧を開始させる（図５のｔ２）。
【００２８】
続くＳ６では、第１圧迫袋圧ＰＣ１が、前記第２徐速降圧開始圧ＰＳ２と同じ値に設定された第１徐速降圧終了圧ＰＥ１を下まわったか否かを判断する。この判断が否定された場合には、Ｓ６の判断を繰り返し実行する。Ｓ６の判断を繰り返し実行している間は、第１圧迫袋圧ＰＣ１および第２圧迫袋圧ＰＣ２の徐速降圧が継続される。
【００２９】
一方、Ｓ６の判断が肯定された場合には、調圧弁２８、３６を解放することにより圧迫袋圧ＰＣ１、ＰＣ２を排圧する（図５のｔ３）。調圧弁２８、３６を解放すると、第１圧迫袋圧ＰＣ１および第２圧迫袋圧ＰＣ２は速やかに大気圧まで低下する。なお、第２圧迫袋圧ＰＣ２は第１圧迫袋圧ＰＣ１よりも先に徐速降圧が開始され、且つ、第２圧迫袋圧ＰＣ２の徐速降圧速度と第１圧迫袋圧ＰＣ１の徐速降圧速度とは等しく、且つ、第１徐速降圧開始圧ＰＳ１から第１徐速降圧終了圧ＰＥ１を引いた圧力差と、第２徐速降圧開始圧ＰＳ２から第２徐速降圧終了圧ＰＥ２を引いた圧力差とは等しいので、Ｓ６の判断が肯定されるより前の時点（図５のｔ４時点）で、第２圧迫袋圧ＰＣ２は第２徐速降圧終了圧ＰＥ２に到達している。また、図４に示すフローチャートに従って、図５に示すように圧迫袋圧ＰＣ１，ＰＣ２を制御した場合には、第２圧迫袋圧ＰＣ２を徐速降圧させている時間は、第１圧迫袋圧ＰＣ１を徐速降圧させている時間よりもやや長く、第１圧迫袋圧ＰＣ１の徐速降圧期間は第２圧迫袋圧ＰＣ２の徐速降圧期間に完全に重なっている。
【００３０】
図３に戻って、血圧値決定手段７６は、図４に示したフローチャートを実行した後に実行する。血圧値決定手段７６は、第１圧迫袋圧制御手段７０により第１圧迫袋圧ＰＣ１が徐速降圧させられる過程において脈波弁別回路４８により逐次弁別される第１脈波信号ＳＭ１が表す第１脈波、および第２圧迫袋圧制御手段７２により第２圧迫袋圧ＰＣ２が徐速降圧させられる過程において脈波弁別回路５４により逐次弁別される第２脈波信号ＳＭ２が表す第２脈波を用いて、オシロメトリック法に基づいて、最高血圧値ＢＰＳＹＳ、最低血圧値ＢＰＤＩＡ、および平均血圧値ＢＰＭＥＡＮを決定し、その決定した最高血圧値ＢＰＳＹＳ等を表示器６６に表示する。なお、本血圧測定装置１０では、この血圧値決定手段７６を備えている電子制御装置４６が血圧値決定装置として機能する。
【００３１】
図６は、上記血圧値決定手段７６における血圧値決定方法を説明するために、第１脈波の振幅および第２脈波の振幅により構成される振幅列の一例を、圧迫袋圧軸と脈波の振幅軸とからなる二次元グラフに示す図である。なお、図６に示すグラフは、血圧値の決定方法を説明するために示したグラフであり、本血圧測定装置１０では作成されない。
【００３２】
図６において、一点鎖線は第２徐速降圧開始圧ＰＳ２すなわち第１徐速降圧終了圧ＰＥ１を示し、一点鎖線よりも左側が第１圧迫袋１８に伝達された第１脈波の振幅列であり、右側が第２圧迫袋２０に伝達された第２脈波の振幅列である。最高血圧値ＢＰＳＹＳは、たとえば、第１脈波の振幅列における立ち上がり点を検出して、その立ち上がり点の圧迫袋圧に決定する。平均血圧値ＢＰＭＥＡＮは、たとえば、第１脈波の振幅列または第２脈波の振幅列におけるピーク点の圧迫袋圧に決定する。最低血圧値ＢＰＤＩＡは、たとえば、第２脈波の各振幅の頂点を結んで構成される包絡線を微分した微分曲線の変曲点（立ち下がり点）の圧迫圧に決定する。
【００３３】
上述の実施例によれば、圧迫袋圧制御装置７４により、２つの圧迫袋１８、２０の徐速降圧範囲の結合が上腕部１４の最高血圧値ＢＰＳＹＳよりも高い圧力から最低血圧値ＢＰＤＩＡよりも低い圧力までの範囲を含むように、それら２つの圧迫袋１８、２０が徐速降圧させられるので、圧迫袋１８、２０が徐速降圧させられる間にそれぞれの圧迫袋装着部位において検出される脈波信号ＳＭ１，ＳＭ２の集合は、従来の一つの圧迫袋が上腕部１４の最高血圧値ＢＰＳＹＳよりも高い圧力から最低血圧値ＢＰＤＩＡよりも低い圧力まで徐速降圧させられる間に検出される脈波信号に相当する。従って、血圧値決定手段７６により、その脈波信号ＳＭ１，ＳＭ２に基づいて血圧値ＢＰを決定することができる。さらに、第１圧迫袋１８の徐速降圧期間が第２圧迫袋２０の徐速降圧期間に重なるようにして、２つの圧迫袋１８、２０が徐速降圧させられるので、血圧測定時間が短くなる。
【００３４】
特に、上述の実施例によれば、第２徐速降圧開始圧ＰＳ２と第１徐速降圧終了圧ＰＥ１とが、ともに、第１徐速降圧開始圧ＰＳ１と第２徐速降圧終了圧ＰＥ２の平均値に設定されており、圧迫袋圧制御装置７４は、第１圧迫袋１８を、第１徐速降圧開始圧ＰＳ１まで急速昇圧させた後、その第１徐速降圧開始圧ＰＳ１から第１徐速降圧終了圧ＰＥ１まで徐速降圧させ、第２圧迫袋２０を、第１圧迫袋１８と同時に急速昇圧を開始させて第２徐速降圧開始圧ＰＳ２まで昇圧させた後、第２徐速降圧開始圧ＰＳ２から第２徐速降圧終了圧ＰＥ２まで、第１圧迫袋１８の徐速降圧の速度と同じ速度で徐速降圧させるので、一つの圧迫袋を最高血圧値よりも高い圧力から最低血圧値よりも低い圧力まで徐速降圧させて血圧を測定する場合に比較して、血圧測定時間が約半分となり、生体に装着される圧迫袋の数が２つである場合において、血圧測定時間が最も短いレベルとなる。
【００３５】
以上、本発明の実施形態を図面に基づいて詳細に説明したが、本発明はその他の態様においても適用される。
【００３６】
たとえば、前述の実施例では、圧迫袋は２つであったが、３つ以上の圧迫袋が備えられていてもよい。
【００３７】
また、前述の実施例では、カフ１２は一つであり、そのカフ１２に２つの圧迫袋１８、２０が設けられていたが、複数のカフが設けられてもよい。
【００３８】
また、前述の実施例では、第１圧迫袋１８と第２圧迫袋２０とを同時に昇圧開始し、且つ、徐速降圧速度も同じとしていたが、徐速降圧期間の少なくとも一部が重なってさえいれば、従来の血圧測定装置に比較して血圧測定時間は短くなるので、第１圧迫袋１８と第２圧迫袋２０の昇圧開始時期は異なっていてもよいし、徐速降圧速度も異なっていてもよい。
【００３９】
また、前述の実施例では、第１圧迫袋圧ＰＣ１および第２圧迫袋圧ＰＣ２を、予め設定された徐速降圧終了圧ＰＥ１，ＰＥ２またはそれ以下まで徐速降圧させた後に、その徐速降圧期間中に得られた脈波信号ＳＭ１，ＳＭ２に基づいて血圧値ＢＰを決定するための演算を実行していたが、徐速降圧期間中に、逐次、血圧値ＢＰを決定するための演算を実行してもよい。この場合には、第１圧迫袋圧ＰＣ１および第２圧迫袋圧ＰＣ２を徐速降圧終了圧ＰＥ１，ＰＥ２まで降圧させなくても、最低血圧値ＢＰＤＩＡを決定した時点で徐速降圧を終了させてもよい。
【００４０】
また、前述の実施例では、第１脈波の振幅列と第２脈波の振幅列を別々に用いて血圧値ＢＰを決定していたが、図６に示すような全体の振幅列を作成してから、血圧値ＢＰを決定してもよい。この場合には、血圧決定アルゴリズムに従来のオシロメトリック方式の血圧決定アルゴリズムを用いることができる。なお、第１脈波の振幅列と第２脈波の振幅列とを結合させて図６に示すような全体の振幅列を作成する場合には、第１脈波の検出感度と第２脈波の検出感度が異なる可能性があるので、第１圧迫袋１８の徐速降圧範囲と第２圧迫袋２０の徐速降圧範囲とを一部重複させ、同じ圧迫圧において検出した第１脈波の振幅と第２脈波の振幅とが同じになるような補正係数を、一方の振幅列に乗じることが好ましい。
【００４１】
なお、本発明はその主旨を逸脱しない範囲においてその他種々の変更が加えられ得るものである。
【図面の簡単な説明】
【図１】本発明が適用された血圧測定装置の回路構成を示すブロック図である。
【図２】図１のカフの展開図である。
【図３】図１の血圧測定装置における電子制御装置の制御機能の要部を説明する機能ブロック線図である。
【図４】図３の第１圧迫袋圧制御手段および第２圧迫袋圧制御手段の制御作動をフローチャートにして示す図である。
【図５】図４のフローチャートが実行されたときの圧迫袋圧ＰＣ１，ＰＣ２の時間変化を示す図である。
【図６】第１脈波の振幅および第２脈波の振幅により構成される振幅列の一例を、圧迫袋圧軸と脈波の振幅軸とからなる二次元グラフに示す図である。
【符号の説明】
１０：血圧測定装置
１８：第１圧迫袋
２０：第２圧迫袋
７０：第１圧迫袋圧制御手段
７２：第２圧迫袋圧制御手段
７４：圧迫袋圧制御装置
７６：血圧値決定手段（血圧値決定装置）
【図１】
2004174029.tif 000003
【図２】
2004174029.tif 000004
【図３】
2004174029.tif 000005
【図４】
2004174029.tif 000006
【図５】
2004174029.tif 000007
【図６】
2004174029.tif 000008